(57)【要約】【課題】顔面の凹凸によくフィットし、製造が容易で、毛穴の汚れや角栓までスムーズに落とすことが可能なクレンジングパッドを提供すること。【解決手段】この考案のクレンジングパッドは、薄板状の本体１の片面２に、根元から先端に向かってやや小径となる突起３を多数設けて構成されるブラシ部４を有しており、前記ブラシ部４を設けた面２を顔面に沿ってしならせることができるように、軟質な合成樹脂で一体成形し、柔軟性を有しているものとしている。【選択図】　図２
0003099270.tif 000002
【実用新案登録請求の範囲】
【請求項１】
薄板状の本体（１）の片面（２）に、根元から先端に向かってやや小径となる突起（３）を多数設けて構成されるブラシ部（４）を有しており、前記ブラシ部（４）を設けた面（２）を顔面に沿ってしならせることができるように、軟質な合成樹脂で一体成形し、柔軟性を有していることを特徴とするクレンジングパッド。
【考案の詳細な説明】
【０００１】
【考案の属する技術分野】
この考案は、化粧落としの際に使用されるクレンジングパッドに関するものである。
【０００２】
【従来の技術】
従来より、顔面の汚れを落とすための用具として、特許文献１に示すようなブラシがある。しかし、このようなブラシは、顔面の凹凸にフィットさせて細やかに汚れを落とせるものではなく、化粧落としには適さないものであった。
【０００３】
そのため、化粧落としを行う際には、クレンジング剤を顔面に塗布し、手のひらで顔面をこすっていることが多い。しかし、手のひらでこするだけでは、毛穴の汚れや角栓までスムーズかつ迅速に落とすことは難しかった。特に、オイルタイプのクレンジング剤を使用した場合は、滑りやすく、汚れ等を落とすことはより困難であった。
【０００４】
【特許文献１】
実開平６−４４４２９号公報
【０００５】
【考案が解決しようとする課題】
そこで、この考案は、顔面の凹凸によくフィットし、毛穴の汚れや角栓までスムーズに落とすことが可能なクレンジングパッドを提供することを課題とする。
【０００６】
【課題を解決するための手段】
前記課題を解決するため、この考案は次のような技術的手段を講じている。
【０００７】
この考案のクレンジングパッドは、薄板状の本体１の片面２に、根元から先端に向かってやや小径となる突起３を多数設けて構成されるブラシ部４を有しており、前記ブラシ部４を設けた面２を顔面に沿ってしならせることができるように、軟質な合成樹脂で一体成形し、柔軟性を有しているものとしている。
【０００８】
【考案の実施の形態】
以下、この考案の実施の形態を、図面を参照して説明する。
【０００９】
この考案のクレンジングパッドは、薄板状の本体１の片面２に、根元から先端に向かってやや小径となる突起３を多数設けて構成されるブラシ部４を有しており、前記ブラシ部４を設けた面２を顔面に沿ってしならせることができるように、軟質な合成樹脂で一体成形し、柔軟性を有しているものである。
【００１０】
図１はこの考案の実施形態のクレンジングパッドの斜視図、図２はブラシ部４を設けた面２を示す正面図、図３は側面図、図４は、クレンジングパッドの使用方法を示す説明図である。
【００１１】
このクレンジングパッドは、全体を、シリコンゴム、ポリエチレン、ポリプロピレン、スチレンゴム、ニトリルゴム、アクリルゴム、エチレン酢ビゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。
【００１２】
この実施形態では、クレンジングパッドは、硬度が３０度程度のシリコンゴムで全体を一体に形成したものとしている。本体１は、厚さ２〜３ｍｍ程度の扁平な略楕円形状で、長径６４ｍｍ程度、短径５０ｍｍ程度としている。
【００１３】
図２に示したように、ブラシ部４は、本体１の片面２の半分以上の領域に及ぶ。ブラシ部４を構成する突起３は、長さ２〜３ｍｍ程度、根元の直径が０．８ｍｍ程度で先端に向かってやや小径となるものとしている。突起３は、縦横に配列され、先端部が隣り合う突起の先端部と１ｍｍ程度の間隔を有するように設けられている。
【００１４】
さらに、ブラシ部４を設けた面２には、ブラシ部４の下方に、多数の断面略半円形状の凸部からなるマッサージ部５を設けている。
【００１５】
本体１のブラシ部４を設けた面２の反対側の面６には、使用者が２本の指で挟んで保持することができる保持部７を設けている。保持部７は、横断面が円形で、面６に対して垂直に突出する突出部として形成され、根元部分と上端部分が拡径した形状となっている。使用者は、根元部分と上端部分の間に、人差し指と中指で保持部７を挟むことにより、このクレンジングパッドを保持することができる。
【００１６】
また、保持部７の外端には、吸盤８が形成されている。この吸盤８により、クレンジングパッドを使用していない間は、鏡や壁面その他適宜に吸着させておくことができる。
【００１７】
このクレンジングパッドを使用してクレンジングを行うには、クレンジング剤を顔面全体になじませた後、目の周りを避け、汚れの気になる部分を中心に、軽いタッチで円を描くようにブラシ部４を当ててこする。そして、クレンジング剤をふき取り、又は洗い流す。
【００１８】
このクレンジングパッドは、全体がシリコンゴムでできているため、柔軟でしなりやすく、顔面の凹凸によくフィットさせることができる。また、多数の柔軟な突起３からなるブラシ部４により、毛穴の汚れ、角栓までスムーズかつ迅速に落とすことができる。特に、オイルタイプのクレンジング剤を使用した場合でも、滑りにくく、しっかりと汚れ等を落とすことができる。しかも、マッサージ効果があり、血行が良くなる。
【００１９】
さらに、このクレンジングパッドのブラシ部４で洗顔剤を泡立てて、きめ細かく密度の高い泡が作れるので、これをクレンジング後の洗顔の際に使用することができる。
【００２０】
また、マッサージ部５を利用して、額などの面をマッサージすることも可能である。
【００２１】
この考案のクレンジングパッドは、本体１のブラシ部４を設けた面２の反対側を、図５、図６に示したような構成とすることもできる。なお、図５、図６に示した実施形態のクレンジングパッドは、いずれも前述の実施形態のクレンジングパッドと同様に、多数の突起３から構成されるブラシ部４を有し、前記ブラシ部４を設けた面２を顔面に沿ってしならせることができるように、柔軟性を有しており、図１に示した実施形態のクレンジングパッドと同様のクレンジングの効果が得られる。
【００２２】
図５に示したクレンジングパッドは、本体１のブラシ部４を設けた面２の反対側に、使用者の指を入れる挿入穴９を有する保持部７を設けたものである。この保持部７は、両端が本体１と一体に形成された帯状体で構成されている。この実施形態のクレンジングパッドは、保持部７の挿入穴９に使用者の２本の指を挿入して保持することにより、より容易に使用することができるようになっている。
【００２３】
図６に示した実施形態のクレンジングパッドは、本体１のブラシ部４を設けた面２の反対側に、本体１の径より大きな径の吸盤８を設けたものとしている。この実施形態のクレンジングパッドは、吸盤８を顔面に吸着させ、そして顔面から引き離すことにより、毛穴の汚れを引き出して落とすことができる。
【００２４】
【考案の効果】
この考案のクレンジングパッドは、上述のような構成を有しており、製造が容易であるとともに、全体的に柔軟性を有し、顔面の凹凸によくフィットし、毛穴の汚れや角栓までスムーズに落とすことが可能である。
【図面の簡単な説明】
【図１】この考案の実施形態のクレンジングパッドの斜視図である。
【図２】この考案の実施形態のクレンジングパッドのブラシ部を設けた面を示す正面図である。
【図３】この考案の実施形態のクレンジングパッドの側面図である。
【図４】この考案の実施形態のクレンジングパッドの使用方法を示す説明図である。
【図５】この考案の他の実施形態のクレンジングパッドの斜視図である。
【図６】この考案のさらに他の実施形態のクレンジングパッドの斜視図である。
【符号の説明】
１　本体
２　片面
３　突起
４　ブラシ部
【図１】
0003099270.tif 000003
【図２】
0003099270.tif 000004
【図３】
0003099270.tif 000005
【図４】
0003099270.tif 000006
【図５】
0003099270.tif 000007
【図６】
0003099270.tif 000008